(57)【要約】【課題】  エステサロン等において、女性の陰毛を剃って整形する際に、その整形形状を予め特定できる剃毛整形用型紙の提供である。【解決手段】  女性の陰毛を剃って整形する際に、その整形形状を予め特定するために使用される剃毛整形用型紙Ｐ1 であって、型紙Ｐ1 には、外形が目的外形よりも大きくて、剃毛整形の見本となる複数の基本見本形状ＶＳ1 〜ＶＳ4 が予め表示されており、施術希望者は、前記複数の基本見本形状ＶＳ1 〜ＶＳ4 から望みの一つを選択して、選択された基本見本形状ＶＳ1 〜ＶＳ4 の外周部を切断して目的外形となった目的形状片Ｓ1 〜Ｓ4 を施術者に手渡し、施術者は、当該目的形状片Ｓ1 〜Ｓ4 の外形に倣って施術するようにする。【選択図】  図２
0003127479.tif 000002
【実用新案登録請求の範囲】
【請求項１】
女性の陰毛を剃って整形する際に、その整形形状を予め特定するために使用される剃毛整形用型紙であって、
型紙には、外形が目的外形よりも大きくて、剃毛整形の見本となる複数の基本見本形状が予め表示されており、施術希望者は、前記複数の基本見本形状から望みの一つを選択して、選択された基本見本形状の外周部を切断して目的外形となった目的形状片を施術者に手渡し、施術者は、当該目的形状片の外形に倣って施術することを特徴とする剃毛整形用型紙。
【請求項２】
方形状の型紙の表裏に計４種類の基本見本形状が表示されていて、表裏両面には、表面側から見て互いに交差する２本の対角線上にそれぞれ２種類の基本見本形状が表裏において干渉することなく配置されていることを特徴とする請求項１に記載の剃毛整形用型紙。
【請求項３】
各基本見本形状の外形線の外側には、当該基本見本形状に対して相似大形であって、鋏模様を含んだミシン目が表示されていることを特徴とする請求項１又は２に記載の剃毛整形用型紙。
【考案の詳細な説明】
【技術分野】
【０００１】
本考案は、女性の陰毛を剃って整形する際に、その整形形状を予め特定するために使用される剃毛整形用型紙に関するものである。
【背景技術】
【０００２】
近時では、女性の陰毛を整形するサービスを提供するエステサロンが現れているが、顧客にとっては、施術部位に起因する羞恥心、説明手段の欠如等のために自己の要望をサービス提供側に正確に伝えられないことが多々発生していた。これが原因となって施術後において、整形形状等をめぐって、サービス提供者（施術者）と顧客（施術希望者）との間でトラブルを生ずることが多かった。
【０００３】
上記サービスにおいて、顧客がサービス提供側に伝達するのが難しい情報（依頼内容）は、全体の整形形状であり、他の情報は、羞恥心を多少伴うことはあるものの、ほぼ誤りなく伝達できる情報が多い。なお、本考案に係る「剃毛整形用型紙」に関する先行特許文献は存在していないと思われる。
【考案の開示】
【考案が解決しようとする課題】
【０００４】
本考案は、エステサロン等において、女性の陰毛を剃って整形する際に、その整形形状を予め特定できる剃毛整形用型紙を使用することにより、顧客にとって伝達しにくい情報を正確にサービス提供者に伝達して、顧客とサービス提供者との間のトラブルを未然に防止することを課題としている。
【課題を解決するための手段】
【０００５】
上記課題を解決するための請求項１の考案は、女性の陰毛を剃って整形する際に、その整形形状を予め特定するために使用される剃毛整形用型紙であって、型紙には、外形が目的外形よりも大きくて、剃毛整形の見本となる複数の基本見本形状が予め表示されており、施術希望者は、前記複数の基本見本形状から望みの一つを選択して、選択された基本見本形状の外周部を切断して目的外形となった目的形状片を施術者に手渡し、施術者は、当該目的形状片の外形に倣って施術することを特徴としている。
【０００６】
施術希望者（被施術者）は、複数の基本見本形状から選択した一つの基本見本形状の外周部を、外形が目的の形状となるようにして切断し、当該目的形状片を施術者に手渡すことにより、自身の望みの剃毛整形形状を施術者に誤りなく伝えることが可能となる。よって、施術希望者は、羞恥心等のために自身の目的の剃毛整形形状を的確に施術者に伝えることができないと共に、施術者も前記形状を的確に受け取ることができなくて、施術後の整形形状に関して両者の間でトラブルが発生することが多かったが、当該トラブルを防止できて、施術希望者、及び施術者の双方が満足感を得ることができる。
【０００７】
また、請求項２の考案は、請求項１の考案において、方形状の型紙の表裏に計４種類の基本見本形状が表示されていて、表裏両面には、表面側から見て互いに交差する２本の対角線上にそれぞれ２種類の基本見本形状が表裏において干渉することなく配置されていることを特徴としている。
【０００８】
請求項２の考案によれば、型紙の表裏にそれぞれ２種類の基本見本形状を大きな余白部を有して配置できるため、目的の外形を有する目的形状片を形成する際に、その切断作業が容易となって、切り損じを生ずることがなくなると共に、表裏に表示された計４種類の各基本見本形状のいずれかを選択した後に、考え直して別の基本見本形状を選択する場合においても、当該別の基本見本形状は全く切断されていないために、上記した「考え直し」に対処できる。
【０００９】
また、請求項３の考案は、請求項１又は２の考案において、各基本見本形状の外形線の外側には、当該基本見本形状に対して相似大形であって、鋏模様を含んだミシン目が表示されていることを特徴としている。
【００１０】
請求項３の考案によれば、各基本見本形状の外形線の外側に表示された鋏模様を含むミシン目の存在によって、当該基本見本形状の使用方法が注意書き等を読まなくても、直感的に理解できる。
【考案の効果】
【００１１】
本考案に係る剃毛整形用型紙を使用すれば、施術希望者は、複数の基本見本形状から選択した一つの基本見本形状の外周部を、外形が目的の形状となるようにして切断し、当該目的形状片を施術者に手渡すことにより、羞恥心等を殆ど感じることなく、自身の望みの陰毛の剃毛整形形状を施術者に誤りなく伝えることが可能になると共に、施術者も、施術希望者の剃毛整形形状を的確に把握できる。この結果、施術希望者にとって満足し得る希望形状の剃毛整形ができて、両者間における陰毛の剃毛整形形状に関するトラブルの発生を抑制できる。
【考案を実施するための最良の形態】
【００１２】
以下、複数の実施形態を挙げて、本考案を更に詳細に説明する。
【実施例１】
【００１３】
図１は、実施例１の剃毛整形用型紙（以下、単に「型紙」と略すこともある）Ｐ1 の正面図であり、図２ないし図５は、それぞれ基本見本形状ＶＳ1 〜ＶＳ4 を切断して目的形状片Ｓ1 〜Ｓ4 を作った状態の正面図である。型紙Ｐ1 は、縦長の長方形状であって、その表面には計４種類の基本見本形状ＶＳ1 〜ＶＳ4 が縦横にそれぞれ二列に配置・表示されている。基本見本形状ＶＳ1 は、逆三角形状であり、その横に配置された基本見本形状ＶＳ2 は、逆たまご形状であり、基本見本形状ＶＳ1 の下に配置された基本見本形状ＶＳ3 は、縦長の長方形状であり、その横に配置された基本見本形状ＶＳ4 は、Ｕ字形状である。各基本見本形状ＶＳ1 〜ＶＳ4 の中央部には、それぞれ「逆三角」、「逆たまご」、「Ｉライン」及び「Ｕライン」という形状の略称が表示されている。各基本見本形状ＶＳ1 〜ＶＳ4 は、女性の陰毛を剃毛整形する場合に選択頻度の最も高い形状であって、これらの４種類の基本見本形状ＶＳ1 〜ＶＳ4 及び当該基本見本形状ＶＳ1 〜ＶＳ4 を形状加工することにより、女性の希望する陰毛の剃毛整形形状のほぼ全てを現出させられる。
【００１４】
また、各基本見本形状ＶＳ1 〜ＶＳ4 には、その外側に僅かに相似大形の鋏模様１を含んだミシン目２がそれぞれ表示されている。鋏模様１を含んだミシン目２が各基本見本形状ＶＳ1 〜ＶＳ4 の外側に表示されていることにより、説明書、或いは説明文を読むことなく、本型紙Ｐ1 の使用者（陰毛剃毛整形の施術希望者）は当該型紙Ｐ1 の使用方法を直感的に理解できる。
【００１５】
このため、施術希望者は、型紙Ｐ1 に表示された各基本見本形状ＶＳ1 〜ＶＳ4 の中に希望形状が存在する場合には、当該希望形状に該当する基本見本形状ＶＳ1 〜ＶＳ4 に何らかの印を付して、施術者にそのまま手渡せばよい。また、希望形状が、型紙Ｐ1 に表示された各基本見本形状ＶＳ1 〜ＶＳ4 のいずれかに近いが、僅かに異なる場合には、鋏を用いて基本見本形状ＶＳ1 〜ＶＳ4 の形状加工を行えばよい。即ち、図２ないし図５にそれぞれ示されるように、各基本見本形状ＶＳ1 〜ＶＳ4 の外形が目的外形となるように鋏で切断して、目的形状片Ｓ1 〜Ｓ4 を作って、施術者に手渡せばよい。また、上記した目的形状片Ｓ1 〜Ｓ4 の外形は、いずれも基本見本形状ＶＳ1 〜ＶＳ4 の外形の内側に含まれるものであるが、目的形状片の外形の一部は、基本見本形状ＶＳ1 〜ＶＳ4 の外形内であるが、残りの部分は、基本見本形状ＶＳ1 〜ＶＳ4 の外形の外側である場合もあり得る。いずれの場合でも、施術希望者は、基本見本形状ＶＳ1 〜ＶＳ4 をベースにして自身の望む形状を自在に作り出すことができる。なお、図２ないし図５において、３は、鋏の切断線を示す。
【００１６】
このように、施術希望者は、各基本見本形状ＶＳ1 〜ＶＳ4 の中から自己の望む形状を選択して施術者に示したり、或いは各基本見本形状ＶＳ1 〜ＶＳ4 をベースにして目的の形状に切断して、その目的形状片Ｓ1 〜Ｓ4 を施術者に示すことにより、羞恥心等のために最も説明の難しい陰毛の整形形状を誤りなく施術者に伝えることが可能となって、施術希望者と施術者の間において、上記形状の把握に係るトラブルを未然に防止して、施術希望者は、自己の陰毛を目的の形状に剃毛整形できる。
【実施例２】
【００１７】
図６は、実施例２の剃毛整形用型紙Ｐ2 の表裏両面を示す図である。型紙Ｐ2 は、縦長の長方形状の型紙の表裏に計４種類の各基本見本形状ＶＳ1 〜ＶＳ4 が表示されていて、表裏両面には、表面側から見て互いに交差する２本の対角線上にそれぞれ２種類の基本見本形状ＶＳ1 〜ＶＳ4 が表裏において干渉することなく配置・表示されている。即ち、型紙Ｐ2 の表側には、２本の対角線の一方に沿って逆三角形状とＵ字形状の各基本見本形状ＶＳ1 ，ＶＳ4 が配置・表示され、型紙Ｐ2 の裏側には、表側から見て他方の対角線に沿って残りの逆たまご形と縦長の長方形状の各基本見本形状ＶＳ2 ，ＶＳ3 が配置・表示されている。
【００１８】
このように、型紙Ｐ2 は、その表面に基本見本形状ＶＳ1 ，ＶＳ4 を、その裏面に基本見本形状ＶＳ2 ，ＶＳ3 を大きな余白部を有して配置できるため、目的の外形を有する目的形状片を形成する際に、その切断作業が容易となって、切り損じを生ずることがなくなると共に、表裏に表示された計４種類の各基本見本形状ＶＳ1 〜ＶＳ4 のいずれかを選択した後に、考え直して別の基本見本形状を選択する場合においても、当該別の基本見本形状は全く切断されていないために、上記した「考え直し」に対処できる。
【実施例３】
【００１９】
図７は、実施例３の剃毛整形用型紙Ｐ3 の斜視図である。型紙Ｐ3 は、各基本見本形状ＶＳ1 〜ＶＳ4 を一葉に表示して、各葉をノート状にして綴じた構成である。よって、施術希望者は、目的又は目的に近い基本見本形状ＶＳ1 〜ＶＳ4 が表示された葉のみを選択して、そのまま、又は上記のように形状加工して施術者に手渡せばよい。
【図面の簡単な説明】
【００２０】
【図１】実施例１の剃毛整形用型紙Ｐ1 の正面図である。
【図２】基本見本形状ＶＳ1 を切断して目的形状片Ｓ1 を作った状態の正面図である。
【図３】基本見本形状ＶＳ2 を切断して目的形状片Ｓ2 を作った状態の正面図である。
【図４】基本見本形状ＶＳ3 を切断して目的形状片Ｓ3 を作った状態の正面図である。
【図５】基本見本形状ＶＳ4 を切断して目的形状片Ｓ4 を作った状態の正面図である。
【図６】実施例２の剃毛整形用型紙Ｐ2 の表裏両面を示す図である。
【図７】実施例３の剃毛整形用型紙Ｐ3 の斜視図である。
【符号の説明】
【００２１】
Ｐ1 〜Ｐ3 ：剃毛整形用型紙
Ｓ1 〜Ｓ4 ：目的形状片
ＶＳ1 〜ＶＳ4 ：基本見本形状
１：鋏模様
２：ミシン目
３：切断線
【図１】
0003127479.tif 000003
【図２】
0003127479.tif 000004
【図３】
0003127479.tif 000005
【図４】
0003127479.tif 000006
【図５】
0003127479.tif 000007
【図６】
0003127479.tif 000008
【図７】
0003127479.tif 000009
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
女性の陰毛を剃って整形する際に、その整形形状を予め特定するために使用される剃毛整形用型紙であって、 方形状の型紙の表面には、外形が目的外形よりも大きくて、剃毛整形の見本となる複数種類の形状の異なる基本見本形状が表示されていることを特徴とする剃毛整形用型紙。
【請求項２】
女性の陰毛を剃って整形する際に、その整形形状を予め特定するために使用される剃毛整形用型紙であって、 方形状の型紙の表裏には、外形が目的外形よりも大きくて、剃毛整形の見本となる計４種類の形状の異なる基本見本形状が表示されていて、表裏両面には、表面側から見て互いに交差する２本の対角線上にそれぞれ２種類の基本見本形状が表裏において干渉することなく配置されていることを特徴とする剃毛整形用型紙。
【請求項３】
女性の陰毛を剃って整形する際に、その整形形状を予め特定するために使用される剃毛整形用型紙であって、 ノート状に綴じられた各葉には、外形が目的外形よりも大きくて、剃毛整形の見本となる複数種類の形状の異なる基本見本形状がそれぞれ表示されていることを特徴とする剃毛整形用型紙。
【請求項４】
各基本見本形状の外形線の外側には、当該基本見本形状に対して相似大形であって、鋏模様を含んだミシン目が表示されていることを特徴とする請求項１ないし３のいずれかに記載の剃毛整形用型紙。
【手続補正２】
【補正対象書類名】明細書
【補正対象項目名】全文
【補正方法】変更
【補正の内容】
【考案の詳細な説明】
【技術分野】
【０００１】  本考案は、女性の陰毛を剃って整形する際に、その整形形状を予め特定するために使用される剃毛整形用型紙に関するものである。
【背景技術】
【０００２】  近時では、女性の陰毛を整形するサービスを提供するエステサロンが現れているが、顧客にとっては、施術部位に起因する羞恥心、説明手段の欠如等のために自己の要望をサービス提供側に正確に伝えられないことが多々発生していた。これが原因となって施術後において、整形形状等をめぐって、サービス提供者（施術者）と顧客（施術希望者）との間でトラブルを生ずることが多かった。【０００３】  上記サービスにおいて、顧客がサービス提供側に伝達するのが難しい情報（依頼内容）は、全体の整形形状であり、他の情報は、羞恥心を多少伴うことはあるものの、ほぼ誤りなく伝達できる情報が多い。なお、本考案に係る「剃毛整形用型紙」に関する先行特許文献は存在していないと思われる。
【考案の開示】
【考案が解決しようとする課題】
【０００４】  本考案は、エステサロン等において、女性の陰毛を剃って整形する際に、その整形形状を予め特定できる剃毛整形用型紙を使用することにより、顧客にとって伝達しにくい情報を正確にサービス提供者に伝達して、顧客とサービス提供者との間のトラブルを未然に防止することを課題としている。
【課題を解決するための手段】
【０００５】  上記課題を解決するための請求項１の考案は、女性の陰毛を剃って整形する際に、その整形形状を予め特定するために使用される剃毛整形用型紙であって、方形状の型紙の表面には、外形が目的外形よりも大きくて、剃毛整形の見本となる複数種類の形状の異なる基本見本形状が表示されていることを特徴としている。【０００６】  施術希望者（被施術者）は、複数の基本見本形状から選択した一つの基本見本形状の外周部を、外形が目的の形状となるようにして切断し、当該目的形状片を施術者に手渡すことにより、自身の望みの剃毛整形形状を施術者に誤りなく伝えることが可能となる。よって、施術希望者は、羞恥心等のために自身の目的の剃毛整形形状を的確に施術者に伝えることができないと共に、施術者も前記形状を的確に受け取ることができなくて、施術後の整形形状に関して両者の間でトラブルが発生することが多かったが、当該トラブルを防止できて、施術希望者、及び施術者の双方が満足感を得ることができる。【０００７】  また、請求項２の考案は、女性の陰毛を剃って整形する際に、その整形形状を予め特定するために使用される剃毛整形用型紙であって、方形状の型紙の表裏には、外形が目的外形よりも大きくて、剃毛整形の見本となる計４種類の形状の異なる基本見本形状が表示されていて、表裏両面には、表面側から見て互いに交差する２本の対角線上にそれぞれ２種類の基本見本形状が表裏において干渉することなく配置されていることを特徴としている。請求項２の考案によれば、型紙の表裏にそれぞれ２種類の基本見本形状を大きな余白部を有して配置できるため、目的の外形を有する目的形状片を形成する際に、その切断作業が容易となって、切り損じを生ずることがなくなると共に、表裏に表示された計４種類の各基本見本形状のいずれかを選択した後に、考え直して別の基本見本形状を選択する場合においても、当該別の基本見本形状は全く切断されていないために、上記した「考え直し」に対処できる。【０００８】  また、請求項３の考案は、女性の陰毛を剃って整形する際に、その整形形状を予め特定するために使用される剃毛整形用型紙であって、ノート状に綴じられた各葉には、外形が目的外形よりも大きくて、剃毛整形の見本となる複数種類の形状の異なる基本見本形状がそれぞれ表示されていることを特徴としている。請求項３の考案によれば、複数種類の基本見本形状をコンパクトに纏めて取り扱うことができる。【０００９】  また、請求項４の考案は、請求項１ないし３のいずれかの考案において、各基本見本形状の外形線の外側には、当該基本見本形状に対して相似大形であって、鋏模様を含んだミシン目が表示されていることを特徴としている。【００１０】  請求項４の考案によれば、各基本見本形状の外形線の外側に表示された鋏模様を含むミシン目の存在によって、当該基本見本形状の使用方法が注意書き等を読まなくても、直感的に理解できる。
【考案の効果】
【００１１】  本考案に係る剃毛整形用型紙を使用すれば、施術希望者は、複数の基本見本形状から選択した一つの基本見本形状の外周部を、外形が目的の形状となるようにして切断し、当該目的形状片を施術者に手渡すことにより、羞恥心等を殆ど感じることなく、自身の望みの陰毛の剃毛整形形状を施術者に誤りなく伝えることが可能になると共に、施術者も、施術希望者の剃毛整形形状を的確に把握できる。この結果、施術希望者にとって満足し得る希望形状の剃毛整形ができて、両者間における陰毛の剃毛整形形状に関するトラブルの発生を抑制できる。
【考案を実施するための最良の形態】
【００１２】  以下、複数の実施形態を挙げて、本考案を更に詳細に説明する。
【実施例１】
【００１３】  図１は、実施例１の剃毛整形用型紙（以下、単に「型紙」と略すこともある）Ｐ1 の正面図であり、図２ないし図５は、それぞれ基本見本形状ＶＳ1 〜ＶＳ4 を切断して目的形状片Ｓ1 〜Ｓ4 を作った状態の正面図である。型紙Ｐ1 は、縦長の長方形状であって、その表面には計４種類の基本見本形状ＶＳ1 〜ＶＳ4 が縦横にそれぞれ二列に配置・表示されている。基本見本形状ＶＳ1 は、逆三角形状であり、その横に配置された基本見本形状ＶＳ2 は、逆たまご形状であり、基本見本形状ＶＳ1 の下に配置された基本見本形状ＶＳ3 は、縦長の長方形状であり、その横に配置された基本見本形状ＶＳ4 は、Ｕ字形状である。各基本見本形状ＶＳ1 〜ＶＳ4 の中央部には、それぞれ「逆三角」、「逆たまご」、「Ｉライン」及び「Ｕライン」という形状の略称が表示されている。各基本見本形状ＶＳ1 〜ＶＳ4 は、女性の陰毛を剃毛整形する場合に選択頻度の最も高い形状であって、これらの４種類の基本見本形状ＶＳ1 〜ＶＳ4 及び当該基本見本形状ＶＳ1 〜ＶＳ4 を形状加工することにより、女性の希望する陰毛の剃毛整形形状のほぼ全てを現出させられる。【００１４】  また、各基本見本形状ＶＳ1 〜ＶＳ4 には、その外側に僅かに相似大形の鋏模様１を含んだミシン目２がそれぞれ表示されている。鋏模様１を含んだミシン目２が各基本見本形状ＶＳ1 〜ＶＳ4 の外側に表示されていることにより、説明書、或いは説明文を読むことなく、本型紙Ｐ1 の使用者（陰毛剃毛整形の施術希望者）は当該型紙Ｐ1 の使用方法を直感的に理解できる。【００１５】  このため、施術希望者は、型紙Ｐ1 に表示された各基本見本形状ＶＳ1 〜ＶＳ4 の中に希望形状が存在する場合には、当該希望形状に該当する基本見本形状ＶＳ1 〜ＶＳ4 に何らかの印を付して、施術者にそのまま手渡せばよい。また、希望形状が、型紙Ｐ1 に表示された各基本見本形状ＶＳ1 〜ＶＳ4 のいずれかに近いが、僅かに異なる場合には、鋏を用いて基本見本形状ＶＳ1 〜ＶＳ4 の形状加工を行えばよい。即ち、図２ないし図５にそれぞれ示されるように、各基本見本形状ＶＳ1 〜ＶＳ4 の外形が目的外形となるように鋏で切断して、目的形状片Ｓ1 〜Ｓ4 を作って、施術者に手渡せばよい。また、上記した目的形状片Ｓ1 〜Ｓ4 の外形は、いずれも基本見本形状ＶＳ1 〜ＶＳ4 の外形の内側に含まれるものであるが、目的形状片の外形の一部は、基本見本形状ＶＳ1 〜ＶＳ4 の外形内であるが、残りの部分は、基本見本形状ＶＳ1 〜ＶＳ4 の外形の外側である場合もあり得る。いずれの場合でも、施術希望者は、基本見本形状ＶＳ1 〜ＶＳ4 をベースにして自身の望む形状を自在に作り出すことができる。なお、図２ないし図５において、３は、鋏の切断線を示す。【００１６】  このように、施術希望者は、各基本見本形状ＶＳ1 〜ＶＳ4 の中から自己の望む形状を選択して施術者に示したり、或いは各基本見本形状ＶＳ1 〜ＶＳ4 をベースにして目的の形状に切断して、その目的形状片Ｓ1 〜Ｓ4 を施術者に示すことにより、羞恥心等のために最も説明の難しい陰毛の整形形状を誤りなく施術者に伝えることが可能となって、施術希望者と施術者の間において、上記形状の把握に係るトラブルを未然に防止して、施術希望者は、自己の陰毛を目的の形状に剃毛整形できる。
【実施例２】
【００１７】  図６は、実施例２の剃毛整形用型紙Ｐ2 の表裏両面を示す図である。型紙Ｐ2 は、縦長の長方形状の型紙の表裏に計４種類の各基本見本形状ＶＳ1 〜ＶＳ4 が表示されていて、表裏両面には、表面側から見て互いに交差する２本の対角線上にそれぞれ２種類の基本見本形状ＶＳ1 〜ＶＳ4 が表裏において干渉することなく配置・表示されている。即ち、型紙Ｐ2 の表側には、２本の対角線の一方に沿って逆三角形状とＵ字形状の各基本見本形状ＶＳ1 ，ＶＳ4 が配置・表示され、型紙Ｐ2 の裏側には、表側から見て他方の対角線に沿って残りの逆たまご形と縦長の長方形状の各基本見本形状ＶＳ2 ，ＶＳ3 が配置・表示されている。【００１８】  このように、型紙Ｐ2 は、その表面に基本見本形状ＶＳ1 ，ＶＳ4 を、その裏面に基本見本形状ＶＳ2 ，ＶＳ3 を大きな余白部を有して配置できるため、目的の外形を有する目的形状片を形成する際に、その切断作業が容易となって、切り損じを生ずることがなくなると共に、表裏に表示された計４種類の各基本見本形状ＶＳ1 〜ＶＳ4 のいずれかを選択した後に、考え直して別の基本見本形状を選択する場合においても、当該別の基本見本形状は全く切断されていないために、上記した「考え直し」に対処できる。
【実施例３】
【００１９】  図７は、実施例３の剃毛整形用型紙Ｐ3 の斜視図である。型紙Ｐ3 は、各基本見本形状ＶＳ1 〜ＶＳ4 を一葉に表示して、各葉をノート状にして綴じた構成である。よって、施術希望者は、目的又は目的に近い基本見本形状ＶＳ1 〜ＶＳ4 が表示された葉のみを選択して、そのまま、又は上記のように形状加工して施術者に手渡せばよい。
【図面の簡単な説明】
【００２０】
【図１】実施例１の剃毛整形用型紙Ｐ1 の正面図である。
【図２】基本見本形状ＶＳ1 を切断して目的形状片Ｓ1 を作った状態の正面図である。
【図３】基本見本形状ＶＳ2 を切断して目的形状片Ｓ2 を作った状態の正面図である。
【図４】基本見本形状ＶＳ3 を切断して目的形状片Ｓ3 を作った状態の正面図である。
【図５】基本見本形状ＶＳ4 を切断して目的形状片Ｓ4 を作った状態の正面図である。
【図６】実施例２の剃毛整形用型紙Ｐ2 の表裏両面を示す図である。
【図７】実施例３の剃毛整形用型紙Ｐ3 の斜視図である。
【符号の説明】
【００２１】      Ｐ1 〜Ｐ3 ：剃毛整形用型紙      Ｓ1 〜Ｓ4 ：目的形状片  ＶＳ1 〜ＶＳ4 ：基本見本形状              １：鋏模様              ２：ミシン目              ３：切断線